(57)【要約】【課題】  簡単な機構で、ダイナミックな迫力ある演出を図ることが可能な遊技機用可動演出装置及びそれを備えた遊技機を提供すること。【解決手段】  遊技機１００の遊戯盤１０１の中央に装飾体を表示する遊技機用可動演出装置１の装飾体を２つに分割し、初期状態で上下に並んで配置し、上下に配置される２つの装飾体１１，１２の表示対象の方向性を維持しながら遊技機１００の横位置から遊戯盤１０１の盤面に沿って中央位置にスライド移動させて、２つの装飾体１１，１２が装飾体の方向性を維持した状態で、左右に並ぶように表示可能に構成する。【選択図】図２
2011019670.tif 000002
【特許請求の範囲】
【請求項１】
遊技盤の盤面に沿って所定の位置に並んで配置され、前記所定の位置から移動して該移動が完了する中間位置において、前記所定の位置における配置方向に対して交差する方向に並ぶように前記盤面に沿って移動可能な２つの装飾体と、
前記２つの装飾体に対して、駆動力を作用する主駆動源と、
前記駆動源の駆動力を前記２つの装飾体に伝達する伝達機構と、
を備え、
前記２つの装飾体が前記遊技盤の盤面に沿って移動をする時、前記主駆動源からの駆動力によって一方の装飾体が先行して前記所定の位置の方向に対して側方に移動しつつ前記中間位置に向かって移動するとともに、他方の装飾体が前記一方の装飾体の移動開始時期より後れて前記所定の位置の方向に沿って前記中間位置に移動することを特徴とする遊技機用可動演出装置。
【請求項２】
請求項１に記載の遊技機用可動演出装置において、
前記伝達機構は、
前記一方の装飾体を移動させる第１の移動機構と、前記他方の装飾体を移動させる第２の移動機構とを含み、
前記第１の移動機構は前記主駆動源と連結され該主駆動源の駆動力によって作動し、前記第２の移動機構は前記第１の移動機構が原動側となり該第１の移動機構の従動側となって該第１の移動機構の駆動力によって作動するように形成されていることを特徴とする遊技機用可動演出装置。
【請求項３】
請求項２に記載の遊技機用可動演出装置において、
前記他方の装飾体には、前記第１の移動機構の従動側となる駆動力とは別に、該他方の装飾体に対して作用する副駆動源を備え、
前記副駆動源は、
前記他方の装飾体が前記一方の装飾体に前記所定の位置に並んで配置されている初期配置状態のときで、前記第２の移動機構が前記第１の移動機構と切り離され非作動状態のときに前記他方の装飾体を前記所定の位置における配置方向に沿って可動可能に構成したことを特徴とする遊技機用可動演出装置。
【請求項４】
請求項１ないし３のいずれか１項に記載の遊技機用可動演出装置において、
前記２つ装飾体は、
前記遊技盤の盤面に対して前後方向以外の方向性を有する文字・数字・記号・図形等の表示対象を表記する、又は象って形成され、前記伝達機構によって前記２つの装飾体のそれぞれが一定の方向性を維持したまま移動できるようにしたことを特徴とする遊技機用可動演出装置。
【請求項５】
請求項１ないし４のいずれか１項に記載の遊技機用可動演出装置を備えたことを特徴とする遊技機。
【発明の詳細な説明】
【技術分野】
【０００１】
本発明は、パチンコ機のセンター役物等に用いられる遊技機用可動演出装置と、そのような可動演出装置を備えるパチンコ機等の遊技機に関する。
【背景技術】
【０００２】
遊技盤上に形成される遊技領域の中央には、センター役物が配置され、そのセンター役物には、可動式の装飾体（演出装置）が配置されている。例えば、可動演出装置は、リーチアクションなどの演出に合わせて装飾体を可動させて、遊技者の興趣を高めており、その可動態様が多数提案されている。
【０００３】
例えば、特許文献１においては、可動式演出装置１０は、演出部材１２と、互いに独立して正逆駆動可能な一対の駆動手段２０,３０と、クランク部４２,５２が各駆動手段２０,３０に対応的に連繋されると共に、他端部となるアーム部４５,５５が演出部材１２に連繋される一対のリンク機構４０,５０とを備え、図柄表示装置Ｓの遊技演出に合わせて駆動手段２０,３０を駆動することで、各クランク部４２,５２を介して対応のアーム部４５,５５を揺動させて、各アーム部４５,５５の変位に連動して演出部材１２が所定の演出動作を行なうものが提案されている。
【先行技術文献】
【特許文献】
【０００４】
【特許文献１】特開２００７−２６８０４０号公報
【発明の概要】
【発明が解決しようとする課題】
【０００５】
これら従来のセンター役物には、いずれもセンター役物の画面上への現れ方に工夫が施されているが、遊技者の興趣を高めるためにさらなるセンター役物の現れ方などの工夫がなされつつある。
また、センター役物の意匠についても画面上への登場方法等さらなる迫力、ダイナミックさが要求されている。
【０００６】
本発明の課題は、簡単な機構で、ダイナミックな迫力ある演出を図ることが可能な遊技機用可動演出装置及びそれを備えた遊技機を提供することにある。
【課題を解決するための手段】
【０００７】
上記の課題を解決するために、遊技機に取り付けられる本発明の遊技機用可動演出装置は、
遊技盤の盤面に沿って所定の位置に並んで配置され、前記所定の位置から移動して該移動が完了する中間位置において、前記所定の位置における配置方向に対して交差する方向に並ぶように前記盤面に沿って移動可能な２つの装飾体と、
前記２つの装飾体に対して、駆動力を作用する主駆動源と、
前記駆動源の駆動力を前記２つの装飾体に伝達する伝達機構と、
を備え、
前記２つの装飾体が前記遊技盤の盤面に沿って移動をする時、前記主駆動源からの駆動力によって一方の装飾体が先行して前記所定の位置の方向に対して側方に移動しつつ前記中間位置に向かって移動するとともに、他方の装飾体が前記一方の装飾体の移動開始時期より後れて前記所定の位置の方向に沿って前記中間位置に移動することを特徴とする。
【０００８】
また、遊技機に取り付けられる遊技機用可動演出装置は、
遊技盤の盤面に沿って所定の方向に並んで配置し、中間位置で、かつ、所定の方向に対して交差する方向に並ぶように盤面に沿って移動可能な２つの装飾体と、この２つの装飾体に対して、駆動力を及ぼすための主駆動源と、この駆動源の駆動力を２つの装飾体に伝達する伝達機構と、を備えてなり、２つの装飾体が移動をする時、主駆動源からの駆動力によって一方の装飾体が先行して所定の方向に対して側方に退避しつつ中間位置に向かって移動するとともに、他方の装飾体が後れて所定の方向に沿って前記中間位置に向かって移動することを特徴とする。
【０００９】
また、本発明の遊技機用可動演出装置は、伝達機構を、一方の装飾体を移動させる第１の移動機構と、他方の装飾体を移動させる第２の移動機構とを含み、第１の移動機構が主駆動源と連結され、その主駆動源の駆動力によって第１の移動機構が作動した後、第１の移動機構が原動側、第２の移動機構が従動側となって第２の移動機構が作動するように形成されていることを特徴とする。
【００１０】
また、本発明の遊技機用可動演出装置は、他方の装飾体に対して作用する副駆動源を備えてなり、他方の装飾体は、一方の装飾体と所定の位置に並んで配置されているときには、第２の移動機構が第１の移動機構と切り離された状態で設けられており、副駆動源の作用により所定の方向に沿って可動可能であることを特徴とする。
【００１１】
また、本発明の遊技機用可動演出装置は、２つ装飾体を、盤面に対して前後方向以外の方向性を有する文字・数字・記号・図形等の表示対象を表記する、又は象って形成され、伝達機構によって当該装飾体それぞれが一定の方向性を維持したまま移動可能としたことを特徴とする。
【００１２】
そして、本発明の遊技機は、上記特徴を有する遊技機用可動演出装置を備えたことを特徴とする。
【発明の効果】
【００１３】
本発明によれば、遊技盤の盤面に沿って所定の位置（所定の方向）に並んで配置される２つの装飾体が、その２つの装飾体の中間位置で所定の位置における配置方向に対して交差する方向に並ぶように移動する（移動が完了する）。２つの装飾体が移動するとき、一方の装飾体が先行して側方に移動（退避）しつつ中間位置に向かって移動するので、他方の装飾体はそのまま所定の方向に沿って中間位置に向かって移動することができる。これにより、２つの装飾体を小さい駆動範囲で大きく移動させることができる。また、所定の方向に並んだ２つの装飾体を異なる方向に並ぶように移動するときに、スムーズに移動させることができる。
【００１４】
例えば、センター役物において、液晶表示部の側方で上下に並んで２つの装飾体を配置した場合に、一方の装飾体を中央（側方）に移動させつつ、左右に並んだ状態に２つの装飾体を配置することができ、新規な動作としてダイナミックな迫力ある演出を図ることができ、興趣を高めることができる。
【００１５】
本発明によれば、伝達機構は、一方の装飾体を移動させる第１の移動機構と、他方の装飾体を移動させる第２の移動機構とを含み構成されている。主駆動源の駆動力によって第１の移動機構が作動した後、第１の移動機構が原動側、第２の移動機構が従動側となって第２の移動機構を作動させるため、２つの装飾体を移動させる駆動源として、主駆動源が１つだけ使用されているだけで、コスト低減に寄与している。
【００１６】
本発明によれば、２つの装飾体が遊技盤の盤面に沿った所定の方向に並んで配置されているときには、第１の移動機構と第２の移動機構とが切り離された状態で設けられているので、第１の移動機構に影響を与えることなく第２の移動機構（他方の装飾体）に作用する副駆動源を設けることができる。ひいては、他方の装飾体を独立して可動（動作）させることができ、一層の興趣の向上を図ることができる。
【００１７】
本発明によれば、一方の装飾体と他方の装飾体が所定の方向に沿って中間位置に向かって移動する際に、表記され又は象って形成される文字・数字・記号・図形等の表示対象が、盤面に対して前後方向以外の方向性を一方の装飾体と他方の装飾体との関係で、２つの装飾体のそれぞれが一定の方向性を維持したままで移動させることができる。
【００１８】
本発明によれば、遊技者の興趣を高めるダイナミックな迫力ある演出を図ることのできる遊技機を提供することができる。
【図面の簡単な説明】
【００１９】
【図１】本発明に係る可動演出装置を備える遊技機の全体構成図である。
【図２】図１に図示の遊技機用可動演出装置の主要部を示す正面図である。
【図３】図２に図示の遊技機用可動演出装置の斜視図である。
【図４】図２に図示の遊技機用可動演出装置の背面図である。
【図５】図２に図示の遊技機用可動演出装置の斜視図である。
【図６】図１に図示の遊技機用可動演出装置の分解斜視図である。
【図７】図２に図示の遊技機用可動演出装置の上側装飾体の突出途中の状態を示す正面図である。
【図８】図２に図示の遊技機用可動演出装置の上側装飾体の突出途中の状態を示す背面図である。
【図９】図２に図示の遊技機用可動演出装置の上側装飾体が完全に突出した状態を示す正面図である。
【図１０】図２に図示の遊技機用可動演出装置の上側装飾体が完全に突出した状態を示す背面図である。
【図１１】図１に図示の遊技機用可動演出装置の正面側から見た図である。
【図１２】図１に図示の遊技機用可動演出装置の背面側から見た斜視図である。
【発明を実施するための形態】
【００２０】
本発明を適用した遊技機用可動演出装置の実施例を図面を参照しながら説明する。
【実施例１】
【００２１】
図１は本発明に係る可動演出装置を備える遊技機の全体構成図、図２〜図５は本発明に係る遊技機用可動演出装置の主要部を示す図、図６は遊技機用可動演出装置の分解斜視図、図７〜図１０は遊技機用可動演出装置の動作を説明するための図、図１１〜図１２は遊技機用可動演出装置の斜視図である。
【００２２】
図１に示すように、パチンコ機１００（遊技機）の遊技盤１０１の盤面（前面）には、ほぼ左半周が内外２本のガイドレール１０２によって区画され、全体として円形の遊技領域１０３が形成されている。遊技領域１０３の中央には、遊技盤１０１上での遊技状態の変化に応じた演出表示を行う液晶表示部１０４（可変表示手段）が配置されている。この液晶表示部１０４を保持する矩形枠状の中央フレーム１０５と、中央フレーム１０５の前方にて液晶表示部１０４の側方（右側）に装飾体演出部として配置された遊技機用可動演出装置１と、を含むセンター役物１６０が遊技盤１０１に搭載されている。液晶表示部１０４の下方（遊技領域１０３の中央下部）に大入賞口１０７（アタッカー）が配置されている。また、液晶表示部１０４と大入賞口１０７との間には、電動チューリップ（電チュー）にて構成される始動入賞口１０６が配置されている。
【００２３】
なお、本明細書において、上下方向とは遊技盤１０１の盤面に沿う形で遊技球が流下する方向（例えば、鉛直方向）を意味する。また、左右方向とは遊技盤１０１の盤面に沿う形で上下方向と交差する方向（例えば、水平方向）を意味し、遊技者側からみて左側、右側をいう。さらに、前後方向とは遊技盤１０１と交差（例えば、直交）する方向を意味し、遊技者に対面する側（手前側）が前面側（前方側）であり、その反対側（奥側）が後面側（後方側）となる。
【００２４】
図１１及び図１２には、遊技機用可動演出装置１の全体が示されている。以下では、遊技機用可動演出装置１を分かり易く説明するため、モータ５０やカバー７０，８０などを省略した図２以降の主要部を示す図面を参照しつつ説明する。
図２において、遊技機用可動演出装置１は、前面側で遊技者の興趣を高めるダイナミックな迫力ある演出を提供する装飾体演出部２と、装飾体演出部２を支持する装飾体可動演出支持部３と、装飾体演出部２を動かす主駆動源と伝達機構とからなる装飾体可動部４（図４に図示されている）とを備えている。
【００２５】
装飾体演出部２は、盤面上に遊技者の興趣を高める画面を演出するもので、上側可動装飾体１１と下側可動装飾体１２との２つの装飾体を含み構成されている。この上側可動装飾体１１と下側可動装飾体１２のそれぞれには、遊技盤１０１の盤面に対して前後方向以外の方向性を有する文字・数字・記号・図形等の表示対象が表記され、又は象って形成された板状部材で構成されている。そして、上側可動装飾体１１が下側可動装飾体１２の上側に下側可動装飾体１２が上側可動装飾体１１の下側にくるように上下に配置されている。
また、上側可動装飾体１１と下側可動装飾体１２には、それぞれが上下の方向および左右に並んだ状態で特定された装飾（意匠）が施されており、図２の設置状態においては、上下方向の位置関係になるように設けられている。
【００２６】
また、上側可動装飾体１１は、下側可動装飾体１２と所定の位置（上下方向）に並んで配置された上下方向位置から、主駆動源と伝達機構とを備えた装飾体可動部４によって所定の位置における配置方向に対して交差する方向（横方向）に並ぶように遊技盤の盤面に沿って移動する。そして、遊技盤１０１の盤面の中央部で、遊技盤１０１の盤面に沿って下側可動装飾体１２と横に並ぶ所定の位置（移動が完了する中間位置）まで移動する。
一方、下側可動装飾体１２は、装飾体可動部４によって上側可動装飾体１１が先行して横方向に移動しながら、下側可動装飾体１２の横の定位置（中間位置）に移動している間に、上方向に移動し、上側可動装飾体１１が遊技盤１０１の盤面の中央部の定位置（中間位置）に到達したときに、上側可動装飾体１１と横に略平行な位置に並ぶように中間位置まで遊技盤１０１の盤面に沿って移動する。
【００２７】
そして、この上側可動装飾体１１は、下側可動装飾体１２と上下方向に並んだ位置（所定の位置）から、装飾体可動部４によって横方向に移動しながら、遊技盤１０１の盤面に沿って遊技盤１０１の盤面の中央部に下側可動装飾体１２と横に並ぶ位置（中間位置）まで移動する際に、上側可動装飾体１１の装飾の向きは上下方向に一定の状態を維持しながら移動する。
この上側可動装飾体１１と下側可動装飾体１２は、装飾体可動演出支持部３に支持され、中央フレーム１０５（センター役物１６０）に取り付けられている。
このように装飾体は、この上側可動装飾体１１に施された装飾と、下側可動装飾体１２に施された装飾とが、横方向に並んだ際に移動して中央に移動してくる。このように上側可動装飾体１１と下側可動装飾体１２とが遊技盤１０１の盤面の中央部に移動してくることにより、遊技者にインパクトを与えることができる。
【００２８】
装飾体可動演出支持部３は、図６に示す如く、上側可動装飾体１１、下側可動装飾体１２を支持する板状に構成される本体部１３と、上側可動装飾体１１と下側可動装飾体１２を支持しながら可動誘導する装飾体可動部１４を有している。
本体部１３は、板状に形成され、中央フレーム１０５にビス等で取り付けるためのビス穴が複数個設けられており、必要に応じて補強のためのリブが適宜設けられて構成されている。
また、本体部１３には、後述するスライド機構３０の第１のスライダー３１を摺動自在に取り付ける装着溝１３Ａと、この装着溝１３Ａに連接して、スライド伝達機構４０の第１ラック４１を摺動自在に取り付ける装着溝１３Ｂとが設けられている。
【００２９】
図２に示される装飾体可動演出支持部３の前面側には、装飾体演出部２が設けられている。この装飾体演出部２の上側可動装飾体１１には、その裏側に、一端がピン１９Ｂによって回転自在に軸支される誘導アーム１８が設けられている。
この誘導アーム１８の他端は、ピン１９Ａによって後述する本体部１３に表裏面を貫通して円弧状の細溝として形成される湾曲溝１５に取り付けられると共に、スライド機構３０の第２のスライダー３２に形成される送り溝３２Ｂに取り付けられている。
このピン１９Ａは、本体部１３の湾曲溝１５内を湾曲溝１５に沿ってスライドすると共に第２のスライダー３２の送り溝３２Ｂ内を送り溝３２Ｂに沿ってスライドし、誘導アーム１８の他端を誘導することになる。
【００３０】
装飾体可動部１４は、上側可動装飾体１１が下側可動装飾体１２と並んで配置される所定の位置から所定の位置における配置方向に対して交差する方向に並ぶように盤面に沿って中間位置までの移動をスムーズに行うための湾曲溝１５を有している。
また、装飾体可動部１４は、上側可動装飾体１１に取り付けられた平行クランク機構（リンク機構）２０によって上側可動装飾体１１の装飾の向き（板状部材の向き）が上下方向に一定の状態に保ちながら上側可動装飾体１１を移動ができるようにするため、平行クランク機構２０を安定的に駆動する平行クランク安定溝１６と平行クランク安定溝１７を有している。
湾曲溝１５は、装飾体可動演出支持部３に表裏面を貫通して円弧状の細溝として形成されている。すなわち、この湾曲溝１５は、上側可動装飾体１１が平行クランク機構（リンク機構）２０によって移動する際に、上側可動装飾体１１がスムーズに移動するために湾曲形成されている。
【００３１】
平行クランク安定溝１６と、平行クランク安定溝１７とは、装飾体可動演出支持部３に表裏面を貫通して円弧状の細溝として形成され、互いに並ぶように設けられている。
平行クランク安定溝１６には、上側可動装飾体１１に取り付けられた平行クランク機構２０のアーム２１の中間部に設けられる摺動ピン２７が溝内を摺動できるように嵌合されている。
また、平行クランク安定溝１７には、上側可動装飾体１１に取り付けられた平行クランク機構２０のアーム２２の中間部に設けられる摺動ピン２８が溝内を摺動できるように嵌合されている。
そして、この２つの摺動ピン２７，２８は、平行クランク安定溝１６，１７の溝路に沿って平行クランク機構２０のアーム２１とアーム２２を誘導するようになっている。
【００３２】
装飾体可動部４は、遊技者の興趣を高めるダイナミックな迫力あるセンター役物が演出されるように装飾体演出部２の上側可動装飾体１１を動かすための主駆動源（具体的には、モータ５０）と、上側可動装飾体１１の主駆動源を原動側とし、この上側可動装飾体１１の主駆動源の従動側とする下側可動装飾体１２を動かすための駆動源と、主駆動源と駆動源とを伝達する伝達機構とを備えている。
この伝達機構は、平行クランク機構２０と、スライド機構３０と、スライド伝達機構４０とを有している。
平行クランク機構２０は、２本の平行アーム２１，２２によって構成されている。この平行アーム２１，２２の一端は、上側可動装飾体１１の裏面に上下方向に所定距離離してピン２３，２４によって回転自在に取り付けられている。
また、平行アーム２１，２２の他端は、装飾体可動演出支持部３の裏側に上下方向に所定距離離してピン２５，２６によって回転自在に取り付けられている。
【００３３】
平行アーム２１，２２の形状は、特に限定はないが、上側可動装飾体１１を稼動できる強度を有していることが必要である。また、平行アーム２１，２２が取り付けられている一方の２つの取付端（ピン２３とピン２４）を結ぶ直線と、平行アーム２１，２２が取り付けられている他方の２つの取付端（ピン２５とピン２６）を結ぶ直線とは、平行な状態に設けられている。
このように平行な状態に設けられているので、平行クランク機構２０の一端に取り付けられている上側可動装飾体１１は、平行クランク機構２０によって、下側可動装飾体１２と遊技盤１０１の盤面に沿って所定の位置（上下方向位置）に並んで配置され、所定の位置（上下方向位置）から移動して移動が完了する中間位置（所定の位置における配置方向に対して交差する方向に並ぶ位置）まで、それぞれの装飾の向きが一定の方向性を維持したまま可動可能に設けられている。
【００３４】
平行アーム２１の中間部には、摺動ピン２７が取り付けられており、平行アーム２２の中間部には、摺動ピン２８が取り付けられている。この摺動ピン２７は、平行クランク安定溝１６に摺動自在に嵌合されており、摺動ピン２８は、平行クランク安定溝１７に摺動自在に嵌合されている。
【００３５】
したがって、平行アーム２１は、平行クランク安定溝１６の溝路に沿って摺動する摺動ピン２７に誘導されて、装飾体可動演出支持部３に回転自在に取り付けられるピン２５を基点として回動するようになっている。
また、平行アーム２２は、平行クランク安定溝１７の溝路に沿って摺動する摺動ピン２８に誘導されて、装飾体可動演出支持部３に回転自在に取り付けられるピン２６を基点として回動するようになっている。
【００３６】
スライド機構３０は、Ｌ字状に形成されており、第１のスライダー３１と、第２のスライダー３２とによって構成されている。
第１のスライダー３１は、上下方向に短く伸びる平板状の板部材３１Ａによって形成されている。この第１のスライダー３１の板部材３１Ａには、装飾体回動用ラック３３がピン３１Ｂを介して取り付けられている。
この装飾体回動用ラック３３は、平板状の板体３３Ａと、板体３３Ａの装飾体可動演出支持部３の内側（ギヤ形成側）に歯切りが施されて形成される歯３３Ｂとによって構成されている。
このようにして、装飾体可動演出支持部３の本体部１３の表側にスライド機構３０の第１のスライダー３１が配置され、装飾体可動演出支持部３の本体部１３の裏側に装飾体回動用ラック３３が配置される。
【００３７】
この装飾体回動用ラック３３は、スライド機構３０の第１のスライダー３１にピン３１Ｂによって取り付けられており、このピン３１Ｂは、装着溝１３Ａに装着されている。したがって、装飾体回動用ラック３３と第１のスライダー３１とは装着溝１３Ａを挟んで配置されている。このようにピン３１Ｂを装着溝１３Ａに装着してあるため、装飾体回動用ラック３３は、ピン３１Ｂが装着される装着溝１３Ａに沿って、平行アーム２１，２２が取り付けられている一方の取付端（ピン２３とピン２４）を結ぶ直線と、平行な方向に移動するようになっている。本実施例においては、上下方向に移動するようになっている。
【００３８】
第２のスライダー３２は、Ｌ字状に形成されるスライド機構３０の第１のスライダー３１に一体に、第１のスライダー３１に端部から直角方向に突出するように設けられている。
この第２のスライダー３２は、第１のスライダー３１の板部材３１Ａに固着されている細長い板状に形成される板部材３２Ａを有しており、この板部材３２Ａの中央に長手方向に細溝状の送り溝３２Ｂが設けられている。この第２のスライダー３２の送り溝３２Ｂには、誘導アーム１８の一端が、ピン１９Ａによって送り溝３２Ｂ内を摺動できるように取り付けられている。
すなわち、この第２のスライダー３２の送り溝３２Ｂにピン１９Ａによって取り付けられる誘導アーム１８の一端は、装飾体演出部２の上側可動装飾体１１の裏側の平行アーム２１，２２のそれぞれの一方を取り付ける取付端（ピン２３とピン２４）が湾曲溝１５に沿って移動することになる。
【００３９】
第１のスライダー３１に取り付けられている装飾体回動用ラック３３には、大経ギヤ３５、小経ギヤ３６、小経ギヤ３７、小経ギヤ３８、小経ギヤ３９が噛合して設けられている。小経ギヤ３９は、モータギヤとしてモータ５０が取り付けられている。このモータ５０が駆動することにより、各小経ギヤが回転し、この回転によって大経ギヤ３５が回転し、装飾体回動用ラック３３が、図２の最上段の位置から図９の最下段の位置の間を移動するようになっている。
また、第２のスライダー３２には、誘導アーム１８の一端に取り付けられているピン１９Ｂによって、誘導アーム１８の一端が、湾曲溝１５に摺動可能に取り付けられている。
【００４０】
したがって、図４に示すように、主駆動源であるモータ５０の駆動により小経ギヤ３９が、例えば、矢印ａに示す方向に回転すると、小経ギヤ３８が矢印ｂに示す方向に回転し、小経ギヤ３７が矢印ｃに示す方向に回転し、小経ギヤ３６が矢印ｄに示す方向に回転し、小経ギヤ３５が矢印ｅに示す方向に回転し、大経ギヤ３４が矢印ｆに示す方向に回転して、装飾体回動用ラック３３を矢印ｇに示す方向にスライドする。
【００４１】
この第１のスライダー３１に取り付けられている装飾体回動用ラック３３が矢印ｇに示す方向にスライドすると、装飾体回動用ラック３３が取り付けられている第１のスライダー３１が下降する。この第１のスライダー３１が下降すると、第１のスライダー３１に一体に形成されている第２のスライダー３２が、第１のスライダー３１の下降とともに、下降する。
この第２のスライダー３２が下降すると、この第１のスライダー３１と固着されている第２のスライダー３２の湾曲溝１５に摺動可能に取り付けられている誘導アーム１８の一端のピン１９Ａは、第２のスライダー３２によって水平方向に、湾曲溝１５によって円弧状の溝路に沿って下方に移動する。
【００４２】
すなわち、ピン１９Ａは、図４の左上の初期位置から湾曲溝１５の円弧状の溝路に沿って右に移動しながら下降していく。
このピン１９Ａの移動によって、誘導アーム１８の一端は、ピン１９Ａに誘導されて、ピン１９Ａの軌跡と同一の動きをする。
したがって、ピン１９Ａの動きによって、誘導アーム１８の他端（ピン１９Ｂ）に取り付けられている上側可動装飾体１１は、平行クランク機構２０によって回動して横位置から中央の位置に押し出されていく。
【００４３】
スライド伝達機構４０（第２の移動機構）は、第１のスライダー３１の移動方向の延長線上の装飾体可動演出支持部３の本体部１３に設けられる第１ラック４１と、この第１ラック４１に平行して設けられる第２ラック４２と、この第１ラック４１と第２ラック４２との間に配置されるピニオン（伝達ギヤ）４３とによって構成されている。
第１ラック４１は、平板状の棒体４１Ａと、棒体４１Ａの第２ラック４２側に歯切りが施されて形成される歯４１Ｂとによって構成されている。
【００４４】
また、第２ラック４２は、平板状の棒体４２Ａと、棒体４２Ａの第１ラック４１側に歯切りが施されて形成される歯４２Ｂとによって構成されている。
この第２ラック４２には、ホルダー４４が取り付けられている。このホルダー４４は、下側可動装飾体１２の裏側に取り付けられており、下側可動装飾体１２の表側からは、ホルダー４４が取り付けられている状態が見えない状態となっている。
このように第１ラック４１の歯４１Ｂと、第２ラック４２の歯４２Ｂとは、互いに向き合った状態に形成されている。
【００４５】
第１ラック４１は、装飾体可動演出支持部３の本体部１３に設けられている装着溝１３Ｂに装着され、この装着溝１３Ｂに沿って摺動するように取り付けられている。
また、装飾体可動演出支持部３の本体部１３の表側から装着溝１３Ｂに装着される第１ラック４１には、装着溝１３Ｂを貫通して装飾体可動演出支持部３の本体部１３の裏側に突出する突出部４１Ｃが設けられている。
この突出部４１Ｃは、第１ラック４１を図２の矢印Ｅに示すように下方に摺動するためのものである。この第１ラック４１の図２の矢印Ｅに示す下方への摺動は、第１のスライダー３１が下降し、この第１のスライダー３１の下端部で第１ラック４１の突出部４１Ｃを押圧して下降させることで行う。
この突出部４１Ｃは、装着溝１３Ｂ内を摺動するようになっており、装着溝１３Ｂの上下端部に当接して第１ラック４１の動きを規制するストッパーとしての機能を有している。
【００４６】
すなわち、図４に示す如く、モータ５０の駆動により小経ギヤ３９が矢印ａに示す方向に回転すると、小経ギヤ３８が矢印ｂに示す方向に回転し、小経ギヤ３７が矢印ｃに示す方向に回転し、小経ギヤ３６が矢印ｄに示す方向に回転し、小経ギヤ３５が矢印ｅに示す方向に回転し、大経ギヤ３４が矢印ｆに示す方向に回転すると、第１のスライダー３１を下方に摺動させ、この第１のスライダー３１の下降によって、第１のスライダー３１の下端部が第１ラック４１の突出部４１Ｃに当接し、第１ラック４１の突出部４１Ｃを押圧して下降させる（図８参照）。
ピニオン（伝達ギヤ）４３は、小口径の円形歯車で、外周に歯４３Ａが設けられている。このピニオン（伝達ギヤ）４３は、互いに向き合って設けられる第１ラック４１の歯４１Ｂと第２ラック４２の歯４２Ｂに噛合されている。
【００４７】
したがって、大経ギヤ３４が図４に図示の矢印ｆに示す如き方向に回転し、大経ギヤ３４の歯に噛合する第１のスライダー３１の歯３１Ｂによって第１のスライダー３１が図４に図示の矢印ｇに示す如き方向に下降し、第１のスライダー３１の下端部によって第１ラック４１の突出部４１Ｃを押圧して図４に図示の矢印ｈに示す如き方向に下降させると、第１ラック４１の歯４１Ｂに噛合するピニオン（伝達ギヤ）４３が図２に図示の矢印Ｆに示す如き方向に回転する。
このピニオン（伝達ギヤ）４３が図２に図示の矢印Ｆに示す如き方向に回転すると、このピニオン（伝達ギヤ）４３の歯４３Ａに噛合する第２ラック４２の歯４２Ｂによって第２ラック４２が図２に図示の矢印Ｇに示す如き方向に上昇する（図１０参照）。
【００４８】
この第２ラック４２が上昇すると、第２ラック４２にホルダー４４を介して取りつけられている下側可動装飾体１２が上方向に移動する。
この下側可動装飾体１２は、初期位置に向けて移動させようとする外力（重力）を受けている。この初期位置に向けて移動させようとする状態では、第１ラック４１は、装飾体回動用ラック３３とは離間した状態に設けられており、後述する打撃振動装置６０（副駆動源）により下側可動装飾体１２を動作させることが可能である。
なお、上側可動装飾体１１と下側可動装飾体１２は、本実施例においては、初期状態で遊技盤の盤面に沿って上下方向に並んだ状態（所定の位置に並んで配置された状態）となっているものについて説明したが、上側可動装飾体１１と下側可動装飾体１２を、初期状態で遊技盤の盤面に沿って左右方向に並んだ状態（所定の位置における配置方向に対して交差する方向に並んで配置された状態）とすることも可能である。この場合には、上下方向に並んだ状態となっている初期位置でバネなどによって外力を加えることになる。
【００４９】
遊技機用可動演出装置１には、打撃振動装置６０が設けられている。
打撃振動装置６０は、アクチュエータ６１と、リンク部材６２と、打撃部材６３とによって構成されている。
アクチュエータ６１は、下側可動装飾体１２に往復動の動きを作用する副駆動源で、電磁ソレノイド式のアクチュエータによって構成されている。このアクチュエータ６１は、電源を所定のタイミングでオンオフすることによりシャフト６１Ａを出し入れ（入出動作）するものである。
リンク部材６２は、板状に形成される板部６２Ａによって構成され、この板部６２Ａの中間部がピン６２Ｂによって回転自在に装飾体可動演出支持部３の本体部１３に取り付けられている。そして、この板部６２Ａの一端がアクチュエータ６１のシャフト６１Ａにピン６２Ｃによって回転自在に取り付けられており、他端が打撃部材６３にピン６２Ｄによって回転自在に取り付けられている。
【００５０】
打撃部材６３は、第２ラック４２の棒体４２Ａを打撃するもので、リンク部材６２の一端がピン６２Ｄによって回転自在に取り付けられている。したがって、打撃部材６３は、アクチュエータ６１の作動によってリンク部材６２を介してアクチュエータ６１のシャフト６１Ａの作動タイミングに合わせて棒体４２Ａに対する打撃動作を行うことになる。
この打撃振動装置６０は、下側可動装飾体１２が上側可動装飾体１１に所定の位置に並んで配置されている初期配置状態のときで、上側可動装飾体１１を駆動する主駆動源（具体的には、モータ５０）と、主駆動源（モータ５０）の作用を受けて第１のスライダー３１の下端による第１ラック４１の突出部４１Ｃの押圧下降によりピニオン（伝達ギヤ）４３を介して第２ラック４２を上昇させることによる下側可動装飾体１２を駆動する駆動源とが切り離され非作動状態のときに可動可能に構成されている。
【００５１】
次に、図２，図４，図７〜図１０を用いて遊技機用可動演出装置１の動作について説明する。
通常時において、装飾体可動演出支持部３の表面側に設けられている装飾体演出部２の上側可動装飾体１１と下側可動装飾体１２は、図２に示す如く、初期状態で遊技盤の盤面に沿って上下方向に並んだ状態（所定の位置に並んで配置された状態）となっている。
この状態で主駆動源であるモータ５０に電源が投入され、モータ５０が駆動を開始する。このモータ５０が駆動すると、モータ５０に取り付けられている小経ギヤ３９が、図４に図示の矢印ａに示す方向に回転し始める。
この小経ギヤ３９が図４に図示の矢印ａに示す方向に回転すると、小経ギヤ３８が図４に図示の矢印ｂに示す方向に回転し、小経ギヤ３７が図４に図示の矢印ｃに示す方向に回転し、小経ギヤ３６が図４に図示の矢印ｄに示す方向に回転し、小経ギヤ３５が図４に図示の矢印ｅに示す方向に回転し、大経ギヤ３４が矢印ｆに示す方向に回転して、装飾体回動用ラック３３が図４に図示の矢印ｇに示す方向にスライドし始める。
【００５２】
この装飾体回動用ラック３３の下方（図４に図示の矢印ｇに示す方向）へのスライドによって装飾体回動用ラック３３に固着されている第１のスライダー３１が図２の矢印Ａに示す方向に下降する。この第１のスライダー３１の下降によってスライド機構３０が図２の矢印Ｂに示す方向に下降し始める。すなわち、スライド機構３０の第２のスライダー３２が下降し始め、第２のスライダー３２は、図８に示す如く、下降する。
この第２のスライダー３２が下降し始めると、第２のスライダー３２の送り溝３２Ｂと装飾体可動演出支持部３に形成される湾曲溝１５に摺動可能に取り付けられている誘導アーム１８のピン１９Ａは、第２のスライダー３２の下降によって装飾体可動演出支持部３に形成される湾曲溝１５に沿って移動し始める。
【００５３】
この装飾体可動演出支持部３に形成される湾曲溝１５は、装飾体可動演出支持部３に表裏面を貫通して円弧状に形成されているので、誘導アーム１８のピン１９Ａは、湾曲溝１５の円弧に沿って下降しながら第２のスライダー３２の送り溝３２Ｂに沿って図２の矢印Ｃに示す方向に誘導されて移動する。
このように誘導アーム１８のピン１９Ａは、初期位置から、図７，図８に示す如く、第２のスライダー３２の送り溝３２Ｂに沿って下降する。これによって上側可動装飾体１１は、図２の初期位置から図７，図８に示す如く、左方に押し出されていく。
【００５４】
図７，図８に示す状態からモータ５０を更に駆動し大経ギヤ３４を図４の矢印ｆに示す方向に回転すると、装飾体回動用ラック３３は、図７の矢印Ａに示す方向に更に下降する。装飾体回動用ラック３３が下降していくと、やがて装飾体回動用ラック３３の下端部は、装着溝１３Ｂを貫通して装飾体可動演出支持部３の本体部１３の裏側に突出する第１ラック４１の突出部４１Ｃに当接する。
さらにモータ５０を駆動し大経ギヤ３４を回転すると、装飾体回動用ラック３３は、突出部４１Ｃを下方に押圧し、突出部４１Ｃを図８の矢印Ｄに示す方向に押し下げ始める。そして、突出部４１Ｃが固着されている第１ラック４１を図７の矢印Ｅに示す方向に下降し始める。
【００５５】
第１ラック４１が下降し初めると、装飾体可動演出支持部３に回転自在に取り付けられ、第１ラック４１の歯４１Ｂに噛合されているピニオン（伝達ギヤ）４３が第１ラック４１の歯４１Ｂによって図７の矢印Ｆに示す方向に回転し始める。このピニオン（伝達ギヤ）４３が図７の矢印Ｆに示す方向に回転し始めると、このピニオン（伝達ギヤ）４３に噛合されている第２ラック４２の歯４２Ｂが図７の矢印Ｇに示す方向に移動し始める。
この第２ラック４２の歯４２Ｂが、ピニオン（伝達ギヤ）４３との噛み合いによって、図７の矢印Ｇに示す上方向に移動し始めることによって、第２ラック４２が図７の矢印Ｇに示す上方向に移動し始める。この第２ラック４２が上昇すると、第２ラック４２にホルダー４４を介して取りつけられている下側可動装飾体１２は、図７の矢印Ｈに示す上方向に移動し始める。
【００５６】
そして、更にモータ５０を駆動して大経ギヤ３４を回転させると、装飾体回動用ラック３３は、更にスライドし、この装飾体回動用ラック３３のスライドによって装飾体回動用ラック３３に固着されている第１のスライダー３１は、図７の初期位置よりさらに下降していく。この第２のスライダー３２がさらに下降していくと、誘導アーム１８のピン１９Ａは、装飾体可動演出支持部３に形成される円弧状に形成される湾曲溝１５に沿ってさらに移動していく。
そして、誘導アーム１８のピン１９Ａは、湾曲溝１５と共に、第２のスライダー３２の送り溝３２Ｂに装着されているため、湾曲溝１５の円弧に沿って図７の矢印Ｂに示す方向に下降しながら第２のスライダー３２の送り溝３２Ｂに沿って図７の矢印Ｃに示す方向に誘導されて移動する。
【００５７】
すなわち、モータ５０によって大経ギヤ３４を回転し、装飾体回動用ラック３３を更に下降して、装飾体回動用ラック３３の下端部で第１ラック４１の突出部４１Ｃを押圧し、第１ラック４１を下降させ、第１ラック４１によってピニオン（伝達ギヤ）４３を回転させて第２ラック４２を上昇させる。
このように装飾体回動用ラック３３が下降していくと、やがて装飾体回動用ラック３３を第１のスライダー３１に取り付けるためのピン３１Ｂが、装着溝１３Ａの下端部に当接して、装着溝１３Ｂの下端部に当接する。このピン３１Ｂが、装着溝１３Ａの下端部に当接すると、装飾体回動用ラック３３の下降は、停止する。
装飾体回動用ラック３３の下降が停止すると、上側可動装飾体１１は、図９，図１０に図示の位置に完全に迫り出した状態になる。
【００５８】
また、装飾体回動用ラック３３の下端部が第１ラック４１の突出部４１Ｃに当接した後、さらにモータ５０を駆動し大経ギヤ３４を回転し、装飾体回動用ラック３３の先端部によって突出部４１Ｃを押圧して、下降させ、第１ラック４１を下降し第１ラック４１の歯４１Ｂに噛合しているピニオン（伝達ギヤ）４３を回転しピニオン（伝達ギヤ）４３の歯４３Ａに噛合する第２ラック４２の歯４２Ｂによって第２ラック４２を上昇する。
このように装飾体回動用ラック３３が下降していくと、やがて装飾体回動用ラック３３を第１のスライダー３１に取り付けるためのピン３１Ｂが、装着溝１３Ａの下端部に当接して、装着溝１３Ｂの下端部に当接する。このピン３１Ｂが、装着溝１３Ａの下端部に当接すると、装飾体回動用ラック３３の下降は、停止する。
【００５９】
装飾体回動用ラック３３の下降が停止すると、装飾体回動用ラック３３の先端部に当接する突出部４１Ｃの押圧が停止し、第１ラック４１の下降も停止する。第１ラック４１の下降が停止すると、第１ラック４１の歯４１Ｂに噛合するピニオン（伝達ギヤ）４３の回転が停止し、ピニオン（伝達ギヤ）４３に噛合する第２ラック４２の上昇も停止する。
第１ラック４１の歯４１Ｂに噛合するピニオン（伝達ギヤ）４３の回転が停止したとき、第２ラック４２が噛合するピニオン（伝達ギヤ）４３は、自重によって下降しようとする下側可動装飾体１２を上昇して停止した位置に保持するようになっている。
そして、装飾体回動用ラック３３の下降が停止し、第１ラック４１の下降が停止すると、下側可動装飾体１２は、図９，図１０に図示の位置に完全に上昇した状態になる。
【００６０】
すなわち、モータ５０が停止しており、小経ギヤ３９，３８，３７，３６，３５，大経ギヤ３４が停止した状態で、上側可動装飾体１１、下側可動装飾体１２の位置関係が、図２，図３に示す如き遊技盤１０１の盤面に沿って所定の方向（上下方向）に並んで配置された状態にあるときで、アクチュエータ６１をオンし、電源を所定のタイミングでオンオフすることによりシャフト６１Ａを往復動する。このシャフト６１Ａを往復動すると、シャフト６１Ａの先端が、シャフト６１Ａの先端にリンク部材６２を介して取り付けられる打撃部材６３を往復動させ、第２ラック４２の棒体４２Ａを打撃し、第２ラック４２にホルダー４４を介して取り付けられている下側可動装飾体１２に振動を与え、遊技者の興趣を高める。
【００６１】
さらに、上側可動装飾体１１と下側可動装飾体１２が、図２に示す如き上下方向に並んだ状態から、モータ５０に電源が投入され、小経ギヤ３９、小経ギヤ３８、小経ギヤ３７、小経ギヤ３６、小経ギヤ３５、大経ギヤ３４を回転する。すると、装飾体回動用ラック３３を下降し、第１のスライダー３１が下降し始め、スライド機構３０の第２のスライダー３２が下降し始める。
この第２のスライダー３２が下降し始めると、第２のスライダー３２の送り溝３２Ｂと装飾体可動演出支持部３に形成される湾曲溝１５に摺動可能に取り付けられている誘導アーム１８のピン１９Ａが、装飾体可動演出支持部３に形成される湾曲溝１５に沿って移動し始め、上側可動装飾体１１が下降しながら横方向に移動し始める。
【００６２】
この上側可動装飾体１１が下降しながら横方向に移動し始め、予め設定した位置まで移動したときに、大当たりの可能性が出てきたとして、アクチュエータ６１をオンし、電源を所定のタイミングでオンオフすることによりシャフト６１Ａを振動する。このシャフト６１Ａを振動すると、シャフト６１Ａにリンク部材６２を介して取り付けられている打撃部材６３が振動する。
この打撃部材６３が振動すると、打撃部材６３の先端が、打撃部材６３の先端に当接する第２ラック４２の棒体４２Ａの下端部を打撃して、第２ラック４２を振動させる。この第２ラック４２の振動は、第２ラック４２にホルダー４４を介して取り付けられている下側可動装飾体１２に振動を与え、遊技者の興趣を高める。
【００６３】
その後、装飾体回動用ラック３３が下降して行き、装飾体回動用ラック３３の下端部が、第１ラック４１の突出部４１Ｃに当接し、突出部４１Ｃを下方に押圧し、第１ラック４１を下降し始める。すると、第１ラック４１によってピニオン（伝達ギヤ）４３が回転し、第２ラック４２が上昇を開始する。
この第２ラック４２が上昇が開始すると、打撃部材６３の先端部に当接している第２ラック４２の棒体４２Ａの下端部が、打撃部材６３の先端部から離れる。すると、打撃部材６３の先端との当接が解かれ、打撃部材６３が振動しても、第２ラック４２の棒体４２Ａの下端部を打撃できなくなる。
すなわち、第２ラック４２が上昇の開始と共に入賞直前、大当たりを予感させるようなときに動作させるための打撃振動装置６０による下側可動装飾体１２の振動は停止する。
【符号の説明】
【００６４】
１……………………………………遊技機用可動演出装置
２……………………………………装飾体演出部
３……………………………………装飾体可動演出支持部
４……………………………………装飾体可動部
１１…………………………………上側可動装飾体
１２…………………………………下側可動装飾体
１３…………………………………本体部
１３Ａ，１３Ｂ……………………装着溝
１４…………………………………装飾体可動部
１５…………………………………湾曲溝
１６，１７…………………………平行クランク安定溝
１８…………………………………誘導アーム
１９Ａ，１９Ｂ……………………ピン
２０…………………………………平行クランク機構
２１，２２…………………………アーム
２３，２４…………………………ピン
２５，２６…………………………ピン
２７，２８…………………………摺動ピン
３０…………………………………スライド機構
３１…………………………………第１のスライダー
３１Ａ………………………………板部材
３１Ｂ………………………………ピン
３３…………………………………装飾体回動用ラック
３２…………………………………第２のスライダー
３２Ｂ………………………………送り溝
３５…………………………………大経ギヤ
３６，３７，３８，３９…………小経ギヤ
４０…………………………………スライド伝達機構
４１…………………………………第１ラック
４１Ａ………………………………棒体
４１Ｂ………………………………歯
４２…………………………………第２ラック
４２Ａ………………………………棒体
４２Ｂ………………………………歯
４３…………………………………ピニオン（伝達ギヤ）
４４…………………………………ホルダー
５０…………………………………モータ
６０…………………………………打撃振動装置
６１…………………………………アクチュエータ
６１Ａ………………………………シャフト
６２…………………………………リンク部材
６３…………………………………打撃部材
１００………………………………遊技機
【図１】
2011019670.tif 000003
【図２】
2011019670.tif 000004
【図３】
2011019670.tif 000005
【図４】
2011019670.tif 000006
【図５】
2011019670.tif 000007
【図６】
2011019670.tif 000008
【図７】
2011019670.tif 000009
【図８】
2011019670.tif 000010
【図９】
2011019670.tif 000011
【図１０】
2011019670.tif 000012
【図１１】
2011019670.tif 000013
【図１２】
2011019670.tif 000014